(57)【要約】【課題】携帯通信装置のメモリにパーソナルコンピュータで利用する所定ファイルを作成することにより、パーソナルコンピュータの利便性を向上させる。【解決手段】情報通信システムは、情報処理装置と、該情報処理装置に接続される情報通信装置とを備える。情報通信装置は、情報処理装置に接続されると、情報処理装置に外部記憶領域として認識させる外部記憶領域認識手段と、外部記憶領域にデータを記載した所定ファイルを用意する所定ファイル用意手段と、所定ファイルにアクセスされると、データを取得して外部記憶領域に保存するデータ取得保存手段と、外部記憶領域に保存したデータを情報処理装置に読み出しする保存完了読出手段と、を備える。情報処理装置は、情報通信装置の外部記憶領域に設けられた所定ファイルにアクセスする、所定ファイルアクセス手段を備える。【選択図】図２
2009087129.tif 000002
【特許請求の範囲】
【請求項１】
情報処理装置と、該情報処理装置に接続される情報通信装置とを備える情報通信システムであって、
前記情報通信装置は、
前記情報処理装置に接続されると、当該情報通信装置の一部を前記情報処理装置に外部記憶領域として認識させる外部記憶領域認識手段と、
前記外部記憶領域認識手段によって認識される前記外部記憶領域に、当該情報通信装置が有する機能を前記情報処理装置に実現させるためのデータを記載した所定ファイルを用意する所定ファイル用意手段と、
前記情報処理装置の所定ファイルアクセス手段によって所定ファイルにアクセスされることにより、前記データを取得して前記外部記憶領域に保存するデータ取得保存手段と、
前記データ取得保存手段により前記データの保存が完了した場合には、前記外部記憶領域に保存した前記データを、前記情報処理装置に読み出しする保存完了読出手段と、を備え、
前記情報処理装置は、
前記情報通信装置の前記外部記憶領域に設けられた前記所定ファイルにアクセスする、所定ファイルアクセス手段
を備えること特徴とする情報通信システム。
【請求項２】
前記情報通信装置は、
インターネットに接続するインターネット接続手段を更に備え、
前記情報通信装置の前記所定ファイルに記載された前記データは、前記インターネットに接続するためのデータであって、
前記情報処理装置が、前記所定ファイルアクセス手段によって前記情報通信装置の前記外部記憶領域に設けられた前記所定ファイルにアクセスすることにより、当該情報処理装置がインターネットに接続することができる
ことを特徴とする請求項１に記載の情報通信システム。
【請求項３】
前記情報通信装置は、
現在位置情報を取得するＧＰＳ手段を更に備え、
前記情報通信装置の前記所定ファイルに記載された前記データは、前記現在位置情報を取得するためのデータであって、
前記情報処理装置が、前記所定ファイルアクセス手段によって前記情報通信装置の前記外部記憶領域に設けられた前記所定ファイルにアクセスすることにより、当該情報処理装置が現在位置情報を取得することができる
ことを特徴とする請求項１又は２に記載の情報通信システム。
【請求項４】
情報処理装置と、該情報処理装置に接続される情報通信装置とを備える情報通信システムにおける情報通信方法であって、
前記情報通信装置が、前記情報処理装置に接続されると、該情報処理装置に当該情報通信装置の一部を外部記憶領域として認識させる外部記憶領域認識ステップと、
前記情報通信装置が、前記外部記憶領域認識ステップにおいて認識される前記外部記憶領域に、当該情報通信装置が有する機能を前記情報処理装置に実現させるためのデータを記載した所定ファイルを用意する所定ファイル用意ステップと、
前記情報処理装置が、前記情報通信装置の前記外部記憶領域に設けられた前記所定ファイルにアクセスする所定ファイルアクセスステップと、
前記情報通信装置が、前記情報処理装置の前記所定ファイルアクセスステップにおいて、前記所定ファイルにアクセスされることにより、前記データを取得して前記外部記憶領域に保存するデータ取得保存ステップと、
前記情報通信装置が、前記データ取得保存ステップにおいて、前記データの保存が完了した場合には、前記外部記憶領域に保存した前記データを、前記情報処理装置に読み出しする保存完了読出ステップと、
を備えることを特徴とする情報通信方法。
【請求項５】
情報処理装置に接続される情報通信装置であって、
前記情報処理装置に接続されると、当該情報通信装置の一部を前記情報処理装置に外部記憶領域として認識させる外部記憶領域認識手段と、
前記外部記憶領域認識手段によって認識された前記外部記憶領域に、当該情報通信装置が有する機能を外部装置に実現させるためのデータを記載した所定ファイルを用意する所定ファイル用意手段と、
前記情報処理装置によって前記所定ファイルにアクセスされることにより、前記データを取得して前記外部記憶領域に保存するデータ取得保存手段と、
前記データ取得保存手段により前記データの保存が完了した場合には、前記外部記憶領域に保存した前記データを、前記情報処理装置に読み出しする保存完了読出手段と、
を備えることを特徴とする情報通信装置。
【請求項６】
情報処理装置に接続される情報通信装置におけるデータ読出方法であって、
前記情報処理装置に接続されると、当該情報通信装置の一部を前記情報処理装置に外部記憶領域として認識させる外部記憶領域認識ステップと、
前記外部記憶領域認識ステップによって認識された前記外部記憶領域に、当該情報通信装置が有する機能を外部装置に実現させるためのデータを記載した所定ファイルを用意する所定ファイル用意ステップと、
前記情報処理装置によって前記所定ファイルにアクセスされることにより、前記データを取得して前記外部記憶領域に保存するデータ取得保存ステップと、
前記データ取得保存ステップにより前記データの保存が完了した場合には、前記外部記憶領域に保存した前記データを、前記情報処理装置に読み出しする保存完了読出ステップと、
を備えることを特徴とするデータ読出方法。
【請求項７】
情報処理装置に接続される情報通信装置におけるデータ読出プログラムであって、
前記情報処理装置に接続されると、当該情報通信装置の一部を前記情報処理装置に外部記憶領域として認識させる外部記憶領域認識手順と、
前記外部記憶領域認識手順によって認識された前記外部記憶領域に、当該情報通信装置が有する機能を外部装置に実現させるためのデータを記載した所定ファイルを用意する所定ファイル用意手順と、
前記情報処理装置によって前記所定ファイルにアクセスされることにより、前記データを取得して前記外部記憶領域に保存するデータ取得保存手順と、
前記データ取得保存手順により前記データの保存が完了した場合には、前記外部記憶領域に保存した前記データを、前記情報処理装置に読み出しする保存完了読出手順と、
をコンピュータに実行させることを特徴とするデータ読出プログラム。
【発明の詳細な説明】
【技術分野】
【０００１】
本発明は、情報通信システム、情報通信方法及び情報通信装置に関し、特に、パーソナルコンピュータと接続して使用される情報通信システム、情報通信方法及び情報通信装置に関する。
【背景技術】
【０００２】
近年、携帯通信装置には、さまざまな機能が付加されている。
【０００３】
例えば、カメラ機能やメモリカードにデータを保存する機能を始め、ＧＰＳ（global positioning system）やデジタルテレビ（ワンセグ）などの機能を持っている携帯通信端末もある。
【０００４】
また、携帯通信装置にパーソナルコンピュータを接続して、パーソナルコンピュータを利用する場合には、携帯通信装置は、ダイヤルアップ通信だけでなく電話帳やカメラデータ、音楽データ等を転送するなどの用途がある。
【０００５】
或いは、携帯通信装置のメモリをパーソナルコンピュータから外部メモリ（ストレージ）として使用することも可能である。
【０００６】
この場合、パーソナルコンピュータから外部メモリを扱うためのストレージドライバは、パーソナルコンピュータ上のＯＳ（オペレーティングシステム：operating system）に標準的に装備されており、そのストレージドライバがそのまま使用できる事が多い。
【０００７】
そして、携帯通信装置をパーソナルコンピュータと接続してパーソナルコンピュータで携帯通信装置の外部メモリの編集をする場合、パーソナルコンピュータのＯＳでストレージデバイスがサポートされていれば、デバイスドライバは自動でインストールされる。
【０００８】
従って、パーソナルコンピュータは、ユーザが新たにデバイスドライバをインストールすることなく、携帯通信装置の外部メモリを利用することができる。
【０００９】
例えば、携帯通信装置の電話帳を編集する場合には、ＯＢＥＸ（object exchange model）ドライバを使用して、電話帳データをファイルとしてパーソナルコンピュータに転送することにより編集することができる。
【００１０】
この場合、パーソナルコンピュータは、携帯通信装置ごとのＯＢＥＸドライバをインストールする必要がある。
【００１１】
また、もうひとつの方法として、携帯通信装置に接続されたメモリカードに電話帳データをコピーして、そのメモリカードにパーソナルコンピュータからアクセスすることにより電話帳データを編集することが可能である。
【００１２】
また、これらに関連して、パーソナルコンピュータのメールを、ブラウザでメール機能を実現することは、既に実用化されている。
【００１３】
すなわち、あるデータ（例えば、メールデータ等である。）をＨＴＭＬ（hypertext markup language）データに変換することは、既存の技術で可能である。
【００１４】
また、カメラの画像をリアルタイムで表示すると共に、カメラのコントロールなどを行う機能は、インターネットのＷｅｂカメラで実現されている。
【００１５】
すなわち、ダイナミックに変化するデータについても、ＨＴＭＬ化することは、既存の技術で可能である。
【００１６】
このように、携帯通信装置に内蔵されたカメラ、ＧＰＳ、テレビ機能等をパーソナルコンピュータ上で利用するためには、複雑なデバイスドライバを用意するか又はパーソナルコンピュータで利用する機能に応じて携帯通信装置上で設定する必要があった。
【００１７】
ここで、携帯通信装置に装着されたメモリ内のデータをパーソナルコンピュータで利用するために、パーソナルコンピュータとそのデータを同期させて転送する情報処理装置に関するものが知られている（例えば、特許文献１参照）。
【特許文献１】特開２００５−２０２４５５号公報
【発明の開示】
【発明が解決しようとする課題】
【００１８】
ところで、携帯通信装置をパーソナルコンピュータと接続して、携帯通信装置に内蔵されている機能をパーソナルコンピュータで利用する場合には、利用する機能に応じたデバイスドライバをパーソナルコンピュータにインストールする必要があった。
【００１９】
例えば、ＣＯＭドライバ、モデムドライバやＯＢＥＸドライバなどをパーソナルコンピュータにインストールしなければ、パーソナルコンピュータは携帯通信装置と接続することができなかった。
【００２０】
また、パーソナルコンピュータのオペレーティングシステムは、携帯通信装置から提供されたデバイスドライバがサポートされているオペレーティングシステムでない場合には、携帯通信装置に接続されたパーソナルコンピュータ上で使用することができなかった。
【００２１】
本発明は、上記問題点を鑑みてなされたものであり、情報通信装置のメモリにパーソナルコンピュータで利用するデータを作成することにより、情報処理装置の利便性を向上させることができる情報通信システム、情報通信方法、情報通信装置、情報通信装置におけるデータ読出方法及び情報通信装置におけるデータ読出プログラムを提供することを目的とする。
【課題を解決するための手段】
【００２２】
本発明に係る情報通信システムは、情報処理装置と、該情報処理装置に接続される情報通信装置とを備える情報通信システムであって、前記情報通信装置は、前記情報処理装置に接続されると、当該情報通信装置の一部を前記情報処理装置に外部記憶領域として認識させる外部記憶領域認識手段と、前記外部記憶領域認識手段によって認識される前記外部記憶領域に、当該情報通信装置が有する機能を前記情報処理装置に実現させるためのデータを記載した所定ファイルを用意する所定ファイル用意手段と、前記情報処理装置の所定ファイルアクセス手段によって所定ファイルにアクセスされることにより、前記データを取得して前記外部記憶領域に保存するデータ取得保存手段と、前記データ取得保存手段により前記データの保存が完了した場合には、前記外部記憶領域に保存した前記データを、前記情報処理装置に読み出しする保存完了読出手段と、を備え、前記情報処理装置は、前記情報通信装置の前記外部記憶領域に設けられた前記所定ファイルにアクセスする、所定ファイルアクセス手段を備えることを特徴とする。
【００２３】
本発明に係る情報通信方法は、情報処理装置と、該情報処理装置に接続される情報通信装置とを備える情報通信システムにおける情報通信方法であって、前記情報通信装置が、前記情報処理装置に接続されると、該情報処理装置に当該情報通信装置の一部を外部記憶領域として認識させる外部記憶領域認識ステップと、前記情報通信装置が、前記外部記憶領域認識ステップにおいて認識される前記外部記憶領域に、当該情報通信装置が有する機能を前記情報処理装置に実現させるためのデータを記載した所定ファイルを用意する所定ファイル用意ステップと、前記情報処理装置が、前記情報通信装置の前記外部記憶領域に設けられた前記所定ファイルにアクセスする所定ファイルアクセスステップと、前記情報通信装置が、前記情報処理装置の前記所定ファイルアクセスステップにおいて、前記所定ファイルにアクセスされることにより、前記データを取得して前記外部記憶領域に保存するデータ取得保存ステップと、前記情報通信装置が、前記データ取得保存ステップにおいて、前記データの保存が完了した場合には、前記外部記憶領域に保存した前記データを、前記情報処理装置に読み出しする保存完了読出ステップと、を備えることを特徴とする。
【００２４】
本発明に係る情報通信装置は、情報処理装置に接続される情報通信装置であって、前記情報処理装置に接続されると、当該情報通信装置の一部を前記情報処理装置に外部記憶領域として認識させる外部記憶領域認識手段と、前記外部記憶領域認識手段によって認識された前記外部記憶領域に、当該情報通信装置が有する機能を外部装置に実現させるためのデータを記載した所定ファイルを用意する所定ファイル用意手段と、前記情報処理装置によって前記所定ファイルにアクセスされることにより、前記データを取得して前記外部記憶領域に保存するデータ取得保存手段と、前記データ取得保存手段により前記データの保存が完了した場合には、前記外部記憶領域に保存した前記データを、前記情報処理装置に読み出しする保存完了読出手段と、を備えることを特徴とする。
【００２５】
本発明に係るデータ読出方法は、情報処理装置に接続される情報通信装置におけるデータ読出方法であって、前記情報処理装置に接続されると、当該情報通信装置の一部を前記情報処理装置に外部記憶領域として認識させる外部記憶領域認識ステップと、前記外部記憶領域認識ステップによって認識された前記外部記憶領域に、当該情報通信装置が有する機能を外部装置に実現させるためのデータを記載した所定ファイルを用意する所定ファイル用意ステップと、前記情報処理装置によって前記所定ファイルにアクセスされることにより、前記データを取得して前記外部記憶領域に保存するデータ取得保存ステップと、前記データ取得保存ステップにより前記データの保存が完了した場合には、前記外部記憶領域に保存した前記データを、前記情報処理装置に読み出しする保存完了読出ステップと、を備えることを特徴とする。
【００２６】
本発明に係るデータ読出プログラムは、情報処理装置に接続される情報通信装置におけるデータ読出プログラムであって、前記情報処理装置に接続されると、当該情報通信装置の一部を前記情報処理装置に外部記憶領域として認識させる外部記憶領域認識手順と、前記外部記憶領域認識手順によって認識された前記外部記憶領域に、当該情報通信装置が有する機能を外部装置に実現させるためのデータを記載した所定ファイルを用意する所定ファイル用意手順と、前記情報処理装置によって前記所定ファイルにアクセスされることにより、前記データを取得して前記外部記憶領域に保存するデータ取得保存手順と、前記データ取得保存手順により前記データの保存が完了した場合には、前記外部記憶領域に保存した前記データを、前記情報処理装置に読み出しする保存完了読出手順と、をコンピュータに実行させることを特徴とする。
【発明の効果】
【００２７】
本発明によれば、情報通信システムは、情報通信装置のメモリに情報処理装置で利用するデータを作成することができるので、情報処理装置の利便性を向上させることができる情報通信システム、情報通信方法、情報通信装置、情報通信装置におけるデータ読出方法及び情報通信装置におけるデータ読出プログラムを実現できる。
【発明を実施するための最良の形態】
【００２８】
（実施形態１）
本発明に係る実施形態では、携帯通信装置が内包するデータ（ファイル）のみならず、外部から取り込むＷｅｂページやＧＰＳデータなどのデータも、携帯通信装置が擬似的にファイルとしてパーソナルコンピュータから見えるようにする。
【００２９】
これにより、本実施形態では、パーソナルコンピュータ側に専用ドライバや専用ソフトを使用しなくても、携帯通信装置が、パーソナルコンピュータに、携帯通信装置の保有するデータを使えるようにするものである。
【００３０】
次に、本発明を実施するための実施形態１について、図面を参照して詳細に説明する。
（１）情報通信システムにおける携帯通信装置の構成
図１は、本発明に係る情報通信システムにおける携帯通信装置の構成を示す概略図である。
【００３１】
なお、図１に示す携帯通信装置１１０は、パーソナルコンピュータ１１４と接続される情報通信システムの装置であって、回路構成の要部を表したものである。
【００３２】
図１に示す携帯通信装置１１０は、通信部１０１と、テレビチューナ部１０２と、ＧＰＳ部１０３と、ＣＰＵ（central processing unit）１０５と、インタフェース部１０６と、メモリ部１０７と、外部メモリ部１０８とを備えている。
【００３３】
また、本実施形態の携帯通信装置１１０におけるＣＰＵ１０５は、携帯通信装置１１０内の各部と接続されている。
【００３４】
このうち通信部１０１は、通信先１１１と通信するための回路である。
【００３５】
なお、本実施形態における通信先１１１は、インターネットに接続されるサーバであっても良く、またネットワークにより接続されるサーバ等であっても良い。
【００３６】
テレビチューナ部１０２は、放送局１１２からのテレビ放送を受信するための回路である。
【００３７】
また、ＧＰＳ部１０３は、衛星１１３からの電波を受信するための回路である。
【００３８】
また、インタフェース部１０６は、パーソナルコンピュータ１１４と接続するための回路である。
【００３９】
また、カメラ部１０９は、画像撮影するための回路である。
【００４０】
また、外部メモリ部１０８は、取り外し可能な使用者特有のデータを格納する不揮発性メモリである。
【００４１】
また、メモリ部１０７は、プログラムを実行する上で一時的に必要とされるデータを格納するＲＡＭ（random access memory）であり、各種の制御用プログラムや使用者特有のデータ等を格納する不揮発性メモリによって構成されている。
（２）実施形態１における携帯通信装置の動作
次に、本発明に係る情報通信システムにおける携帯通信装置の動作について、各処理をフローチャートに示し、そのフローチャートを参照しながら、詳細に説明する。
（２−１）パーソナルコンピュータのファイル読み出し処理
図２は、携帯通信装置１１０がパーソナルコンピュータ１１４と接続された時に、パーソナルコンピュータ１１４がホームページ閲覧などのインターネット接続する時のファイル読み出し処理について、フローチャートで示したものである。
【００４２】
まず、携帯通信装置１１０とパーソナルコンピュータ１１４と接続された時に、携帯通信装置１１０は、パーソナルコンピュータ１１４に対し、ストレージデバイスとして動作するようにする（ステップＳ０１）。
【００４３】
すなわち、パーソナルコンピュータ１１４は、携帯通信装置１１０を外部記憶装置として扱い、フォルダやファイルが見えるようにする。
【００４４】
また、パーソナルコンピュータ１１４から見たストレージデバイスである携帯通信装置１１０の内部には、携帯通信装置１１０が有するインターネット接続機能に応じたファイル（以下、これをインターネット接続ファイルという。）、例えばｗｅｂｐａｇｅ．ｈｔｍｌが存在するようにする。
【００４５】
携帯通信装置１１０は、パーソナルコンピュータ１１４との接続時に、ストレージデバイスとして認識された端末の内部にあるメモリ部１０７に、そのファイルの情報が書き込まれたヘッダ部（図示せず）を有するインターネット接続ファイルを準備する。
【００４６】
すなわち、外部ストレージエリアにｗｅｂｐａｇｅ．ｈｔｍｌを生成し、そのヘッダ部（図示せず）にそのファイルの情報を書込み、パーソナルコンピュータ１１４から見えるようにする。
【００４７】
また、このインターネット接続ファイルの詳細が書き込まれたＢＯＤＹ部（図示せず）にパーソナルコンピュータ１１４からのアクセスがあった場合には、携帯通信装置１１０は、ＢＵＳＹをパーソナルコンピュータ１１４に返し、読み出しできないようにする（ステップＳ０２）。
【００４８】
なお、インターネット接続ファイルは、ブラウザでホームページなどを閲覧するために使用されるＨＴＭＬ形式である。
【００４９】
そして、パーソナルコンピュータ１１４によりインターネット接続ファイルのヘッダ部の読み出しが行われた場合には（ステップＳ０３）、携帯通信装置１１０は、通信部１０１を通じてインターネットより各種ファイルを取得してＢＯＤＹ部に保存する（ステップＳ０４）。
【００５０】
この取得したファイルの保存が完了するまでは、パーソナルコンピュータ１１４からインターネット接続ファイルのＢＯＤＹ部にアクセスがあっても、インターネットから各種ファイルの読み出しが完了してファイルの内容が全て確定するまでＢＵＳＹを返す。
【００５１】
これにより、携帯通信装置１１０は、パーソナルコンピュータ１１４に対し、インターネットから取得した各種ファイルをメモリ部１０７に保存が完了するまで、読み出しさせないようにする（ステップＳ０５）。
【００５２】
そして、インターネットより取得した各種ファイルをメモリ部１０７に保存が完了した後は、インターネット接続ファイルのＢＯＤＹ部を読み出し可能にし（ステップＳ０６）、パーソナルコンピュータ１１４は、各種ファイルを読み出しすることができる。
【００５３】
このように、インターネット接続ファイルのＢＯＤＹ部から、パーソナルコンピュータ１１４が各種ファイルを読み出すことにより、パーソナルコンピュータ１１４は、取得した各種ファイルをパーソナルコンピュータ１１４上で使用することができる。
【００５４】
なお、インターネット接続ファイルのＢＯＤＹ部から読み出す各種ファイルは、インターネットから読み出し可能なファイルとしてフレームを設け、リンク先のファイルを通信により更新を行うようにしても良い。
【００５５】
また、各種ファイルの読み出しがあった場合に、更新中であればＢＵＳＹをパーソナルコンピュータ１１４に返し、更新中は読み出しを出来ないようにしてもよい。
【００５６】
ここで、具体例として、インターネット接続ファイルにフレームを設けて、リンク先のファイルを通信により更新するようにして、パーソナルコンピュータ１１４のブラウザでインターネットのホームページを表示する例を図３に示す。
【００５７】
図３に示すブラウザのウィンドウ３０１内には、読み出し可能なフレーム部３０２と、通信により取得される閲覧するホームページ３０３を表示するフレーム部により構成されている。
【００５８】
フレーム部３０２には、閲覧するホームページ３０３のアドレス３０４が入力されると共に記載されており、そのアドレス３０４に記載されたファイルを開いた場合には、表示されたアドレス３０４のデータがストレージデバイスに保存される。
【００５９】
このように、閲覧するホームページ３０３に表示されたアドレス３０４が表示されることにより、ストレージデバイスに何が保存されるか常に明確になる。
（３）実施形態１における携帯通信装置の効果
以上説明したように、本実施形態によれば、情報通信システムにおける携帯通信装置がインターネット接続ファイルであるＨＴＭＬファイル（webpage.html）を生成する。
【００６０】
これにより、本実施形態では、パーソナルコンピュータが必要なドライバ等を保存することができるので、パーソナルコンピュータ１１４が有するＣＯＭドライバやモデムドライバを使用することなく、インターネット上のＷｅｂページへアクセスすることができる。
【００６１】
なお、本実施形態では、本発明を実現する上でストレージデバイスドライバが必要となるが、ストレージデバイスドライバはその構成が単純であり供給することが容易であるため、汎用性が高い。
（４）他の実施形態
次に、本発明に係る他の実施形態について、図面を参照して詳細に説明する。
【００６２】
パーソナルコンピュータ１１４から見たストレージデバイスである携帯通信装置１１０の内部には、携帯通信装置１１０が有するＧＰＳ機能に応じたファイル（以下、これをＧＰＳファイルという。）、例えばＧＰＳ．ｈｔｍｌが存在するようにする。
【００６３】
このＧＰＳファイルは、ＧＰＳ専用ファイル、すなわち測位した現在位置が記されたファイルとすることも可能であるが、ここでは測位を行い測位結果により現在位置の地図の画像ファイルを含むＨＴＭＬファイルを生成する例について詳述する。
【００６４】
なお、この測位を行い測位結果により現在位置の地図の画像ファイルを、現在位置地図画像ファイルという。
【００６５】
図４は、現在位置地図画像ファイルを含むＨＴＭＬファイルをＧＰＳファイルとして、パーソナルコンピュータ１１４で表示する場合のフローチャートを示したものである。
【００６６】
携帯通信装置１１０は、パーソナルコンピュータ１１４との接続時に（ステップＳ１１）、ストレージデバイスとして認識された端末内部のメモリ部１０７に、ＧＰＳ．ｈｔｍｌを生成し、ヘッダ部を準備する。
【００６７】
また、このＧＰＳファイルの詳細が書き込まれたＢＯＤＹ部は、読み出しできないようにする（ステップＳ１２）。
【００６８】
パーソナルコンピュータ１１４からＧＰＳファイルのヘッダ部にアクセスし、読み出しが行われた場合（ステップＳ１３）には、携帯通信装置１１０は、通信部１０１を通じてインターネットより各種ファイルを取得してＢＯＤＹ部（図示せず）に保存する（ステップＳ１４）。
【００６９】
この取得したファイルの保存が完了するまでは、パーソナルコンピュータ１１４からＧＰＳファイルのＢＯＤＹ部にアクセスがあっても、インターネットから各種ファイルの読み出しが完了してファイルの内容が全て確定するまでＢＵＳＹを返す。
【００７０】
これにより、携帯通信装置１１０は、パーソナルコンピュータ１１４に対し、インターネットから取得した各種ファイルをメモリ部１０７に保存が完了するまで、読み出しさせないようにする（ステップＳ１５）。
【００７１】
そして、インターネットから取得した各種ファイルをメモリ部１０７に保存が完了した後は、ＧＰＳファイルのＢＯＤＹ部を読み出し可能にし（ステップＳ１６）、パーソナルコンピュータ１１４が、各種ファイルを読み出しすることができる。
【００７２】
なお、本実施形態では、インターネットを介して各種データをファイルとして取得するようになっていたが、本実施形態はこれに限らず、ＧＰＳ部１０３を用いて現在位置地図画像ファイルを取得し、ＧＰＳファイルのＢＯＤＹ部を更新するようにしても良い。
【００７３】
次に、ＧＰＳファイルに現在位置地図画像ファイルをＨＴＭＬファイルでリンクさせ、パーソナルコンピュータ１１４のブラウザに表示する場合の例を図５に示す。
【００７４】
図５に示すブラウザ４０１のウィンドウには、現在位置地図画像ファイル４０２がリンクされている。
【００７５】
これにより、ＧＰＳファイルに設定ボタン４０３等を設けると共に、現在位置地図画像ファイルの有効期限を設定し、パーソナルコンピュータ１１４のブラウザに現在位置地図画像ファイルが自動更新されるようにしても良い。
【００７６】
また、更にその他の実施形態として、デジタルテレビ（ワンセグ）の放送データを携帯通信装置１１０が汎用的動画ファイルに変換し、例えば、ｏｎｅｓｅｇ．ｄａｔとして生成することも可能である。
【００７７】
この場合、パーソナルコンピュータ１１４は、そのファイル（ｏｎｅｓｅｇ．ｄａｔ）を利用して汎用的動画再生ソフトを使って再生することにより、ユーザはパーソナルコンピュータ１１４上でデジタルテレビを視聴することができる。
【００７８】
このように、携帯通信装置１１０が汎用的なＨＴＭＬファイルを生成することができるので、パーソナルコンピュータ１１４は、インターネット用ブラウザがそのまま使用することができる。
【００７９】
従って、上記の他の実施形態では、専用のソフトウエア（ＧＰＳ対応ソフト）をインストールすることなく、パーソナルコンピュータ１１４上でナビゲーションシステムを実現することができる。
【００８０】
なお、実施形態１では、メモリ部１０７が外部記憶領域認識手段を形成し、ＣＰＵ１０５が、所定ファイル用意手段とデータ取得保存手段と保存完了読出手段を形成するようになっていたが、本実施形態はこれに限らず、他の構成により実現するようにしても良い。
【００８１】
また、実施形態１では、携帯通信装置１１０が情報通信装置を形成し、パーソナルコンピュータ１１４が情報処理装置を形成するようになっていたが、本実施形態はこれに限らず、他の構成により実現するようにしても良い。
【００８２】
また、実施形態１では、メモリ部１０７に所定ファイルであるインターネット接続ファイルを生成して用意するようになっていたが、本実施形態ではこれに限らず、外部メモリ部１０８に生成して用意するようにしても良い。
【図面の簡単な説明】
【００８３】
【図１】本発明に係る実施形態１における情報通信システムを構成する携帯通信装置の構成図である。
【図２】本発明に係る実施形態１における携帯通信装置がファイル読み出し処理の動作を示すフローチャートである。
【図３】本発明に係る実施形態１におけるパーソナルコンピュータがブラウザで表示するホームページの一例である。
【図４】本発明に係る他の実施形態における携帯通信装置がファイル読み出し処理の動作を示すフローチャートである。
【図５】本発明に係る他の実施形態におけるパーソナルコンピュータがブラウザで表示するホームページの一例である。
【符号の説明】
【００８４】
１０１  通信部
１０２  テレビチューナ部
１０３  ＧＰＳ部
１０５  ＣＰＵ
１０６  インタフェース部
１０７  メモリ部
１０８  外部メモリ部
１１０  携帯通信装置
１１１  通信先
１１２  放送局
１１３  衛星
１１４  パーソナルコンピュータ
【図１】
2009087129.tif 000003
【図２】
2009087129.tif 000004
【図３】
2009087129.tif 000005
【図４】
2009087129.tif 000006
【図５】
2009087129.tif 000007